(57)【要約】【課題】冷蔵庫などの放熱パイプの配管の自由度を向上させた真空断熱材を提供する。【解決手段】真空断熱材１は、芯材２と、前記芯材を被覆するラミネートフィルムからなる外被材３とを備え前記外被材３の内部を減圧密封した真空断熱材１であって、前記真空断熱材１の表面には少なくとも２本以上の溝４を有し、それらの溝４が１箇所以上で交わっていることより、その溝４に沿って配置される放熱パイプ７を多方向に配管でき、配管や放熱の設計の自由度を向上させることができる。また、放熱パイプ７を交差や集中させて、その部の放熱量を増やし温度を調整することが可能となる。【選択図】図１
2014070851.tif 000002
【特許請求の範囲】
【請求項１】
少なくとも芯材と、前記芯材を被覆するラミネートフィルムからなる外被材とを有して前記外被材の内部を減圧密封した真空断熱材であって、前記真空断熱材の表面には少なくとも２本以上の溝を有し、前記溝が１箇所以上で交わっているとともに前記溝の交差部における厚み方向においても前記芯材が配置されていることを特徴とする真空断熱材。
【請求項２】
請求項１に記載の真空断熱材を用いて放熱パイプを前記真空断熱材の溝に配設した冷蔵庫。
【発明の詳細な説明】
【技術分野】
【０００１】
本発明は、真空断熱材と真空断熱材を用いた冷蔵庫に関するものである。
【背景技術】
【０００２】
近年、地球環境問題である温暖化の対策として、省エネルギーを推進する動きが活発になっており、温冷熱利用機器に関しては、熱を有効活用するという観点から、優れた断熱性能を有する真空断熱材が普及しつつある。
【０００３】
真空断熱材とは、袋状に加工したガスバリア性を有するラミネートフィルム内へ、グラスウールのように気相容積比率が高く微細な空隙を構成する芯材を収納し、芯材収納空間を減圧して密封したものである。
【０００４】
真空断熱材はその熱伝導率が低く冷蔵庫の壁面に適用され、近年特にその効果を増大させるため厚みを増加させる傾向にある。また、冷蔵庫の冷凍サイクルで発生する熱を効率良く放熱するため、冷蔵庫の外面を形成する外箱の内側に放熱パイプを貼り付け、真空断熱材でこの放熱パイプを覆い、さらに発泡ウレタンなどで冷蔵庫の庫内空間を形成する内箱との間にできる空間を充填し、冷蔵庫外部の熱を庫内側に伝わり難くしている。しかしながら、ただ平板の真空断熱材を放熱パイプの上に配置しただけでは、冷蔵庫の外箱と放熱パイプと真空断熱材で囲まれた空間が出来てしまい発泡ウレタンが充填できなくなるばかりか、放熱パイプと真空断熱材を重ねることにより冷蔵庫の内箱と外箱の空間、つまり冷蔵庫にとっては壁厚みを増大し、庫内容積を減少させねばならないことになる。
【０００５】
そこで、上記課題を解決するために、真空断熱材に溝を設けることが提案されている（例えば、特許文献１参照）。
【０００６】
図３は、特許文献１に開示された従来の真空断熱材の斜視図。図３に示すように、特許文献に開示された従来の真空断熱材１は、片面に放熱パイプがはめ込まれる溝４が設けられているので、真空断熱材１が放熱パイプを覆いしかも厚みを薄く出来るので断熱性能もよくかつ、冷蔵庫の壁厚みを薄くすることが出来る。
【先行技術文献】
【特許文献】
【０００７】
【特許文献１】特許第４１９６８５１号公報
【発明の概要】
【発明が解決しようとする課題】
【０００８】
しかしながら、真空断熱材の表面に加工した溝は１本または複数本の溝を平行に加工しただけのものであり、その溝に沿って配管する放熱パイプの配管の自由度はほとんどないという課題を有していた。
【０００９】
本発明は、上記従来の課題に鑑み、放熱パイプの配管の設置の自由度を向上させることが可能な真空断熱材提供することを目的とする。
【課題を解決するための手段】
【００１０】
上記目的を達成するために、本発明の真空断熱材は、少なくとも芯材と、前記芯材を被覆するラミネートフィルムからなる外被材とを有して前記外被材の内部を減圧密封した真空断熱材であって、前記真空断熱材の表面には少なくとも２本以上の溝を有し、それらの
溝が１箇所以上で交わっているとともに前記溝の交差部における厚み方向においても前記芯材が配置されていることを特徴とするのである。
【００１１】
上記構成により、真空断熱材の表面に設けられた溝に設置する放熱パイプは、断熱性能を低下させることなくその配管の設置の自由度が増し、配管のロスを減少させることができる。
【発明の効果】
【００１２】
本発明の真空断熱材は、真空断熱材の断熱性能を低下させることなく配管のロスを減少させることができるので、高断熱で省資源の冷蔵庫に搭載する真空断熱材を実現することができる。
【図面の簡単な説明】
【００１３】
【図１】本発明の実施の形態における真空断熱材の概略構成を示す一部を破断した斜視図
【図２】本発明の実施の形態における真空断熱材を用いた冷蔵庫冷媒回路の模式図
【図３】特許文献１に開示された従来の真空断熱材を示す斜視図
【発明を実施するための形態】
【００１４】
第１の発明は、少なくとも芯材と、前記芯材を被覆するラミネートフィルムからなる外被材とを有して前記外被材の内部を減圧密封した真空断熱材であって、前記真空断熱材の表面には少なくとも２本以上の溝を有し、それらの溝が１箇所以上で交わっているとともに前記溝の交差部における厚み方向においても前記芯材が配置されていることを特徴とする真空断熱材である。
【００１５】
上記構成により、放熱パイプの配管位置決めをする際、真空断熱材の溝に沿って埋設するが、真空断熱材に設けられた溝は２本以上あり、さらにそれらは交差をしているので一方向だけではなく、多方向での配管が可能となる。
【００１６】
また、溝部を通る厚み方向においても芯材が配置されていることで十分な断熱性能を確保することが可能となる。
【００１７】
したがって、本発明の真空断熱材は、放熱パイプの配管を容易に設計することができる。
【００１８】
本発明において、放熱パイプの配管にて説明をしたが、電線等の配線にても同じことが言え、特に指定するものではない。
【００１９】
また、真空断熱材の溝の深さや形状については特に規定しないが、全て同一でも、溝毎に変えることも可能である。
【００２０】
第２の発明は、特に、第１の発明において、前記真空断熱材を冷蔵庫の断熱箱体に用いたことを特徴とするものである。
【００２１】
前記真空断熱材を用いて断熱箱体ができていることで、第１の発明の作用に加えて、更に溝加工の位置などを工夫することにより放熱パイプを交差集中させることで、冷蔵庫の表面温度を調整できる、つまり冷蔵庫表面の結露を防止しやすくできるという作用を有する。
【００２２】
以下、本発明による真空断熱材の実施の形態について、図面を参照しながら説明するが
、先に説明した実施の形態と同一構成については同一符号を付して、その詳細な説明は省略する。なお、この実施の形態によってこの発明が限定されるものではない。
【００２３】
（実施の形態１）
図１は本発明の実施の形態における真空断熱材の概略構成を示す一部を破断した斜視図である。
【００２４】
図１に示すように、真空断熱材１は、芯材２と前記芯材２を被覆する外被材３からなり、前記外被材３の内部を減圧密封したもので、その表面には少なくとも２本以上の溝４を有し、それらの溝が１箇所以上で交わって溝の交差部４ａを有しているものである。
【００２５】
なお、前記溝４は片面に２本、１箇所で交差した状態を示しているが、両面あるいは複数本の溝や交差する箇所が複数になっても差し支えはない。
【００２６】
図２は本発明の実施の形態における真空断熱材を用いた冷蔵庫冷媒回路の模式図で、冷蔵庫の筐体５と冷媒を圧縮循環させるコンプレッサー６と放熱パイプ７とを模式的に示している。
【００２７】
本実施の形態では、２本の溝４が１箇所でほぼ直角に交わって溝の交差部４ａを形成しており、この溝４に沿って放熱パイプ７を配管している。
【００２８】
また、この溝の交差部４ａにおいては厚み方向においても前記芯材が配置されている。一方の溝４で冷蔵庫の筐体５の上部奥側に設置されたコンプレッサー６から出てきた放熱パイプ７をそのまま冷蔵庫の筐体５の前面にまで配管することが可能である。また、ほぼ直角に交わったもう一方の溝４に沿って放熱パイプを配管することにより冷蔵庫の筐体５の左右側面の配管を直結することが可能となる。
【００２９】
さらに、２本の溝４の深さに段差を設けておけば溝の交差部４ａで交差する放熱パイプ７同士の干渉を防ぐことも出来る。
【００３０】
また、溝４の形成方法であるが、芯材を入れて真空密封した上で、外側から溝をつけた場合には、溝４がある箇所と無い箇所で厚さ方向においてほぼ同じ量の芯材が封入されているので、溝４によって真空断熱材が薄くなった場合でも、大幅な性能低下を抑制し、断熱性能を維持した上で、複数の溝４を備えることが可能となる。
【００３１】
このように、真空断熱材に設けられた溝４は２本以上あり、さらにそれらが交差をしているので一方向だけではなく、多方向での配管が可能となる。
【００３２】
したがって、本発明は、放熱パイプの配管を容易に設計することができる真空断熱材を提供できる。
【産業上の利用可能性】
【００３３】
本発明の真空断熱材は、その表面に設けた、少なくとも２本以上の溝を有し、それらの溝が１箇所以上で交わっていることにより、それらの溝に設置する放熱パイプや電線などの設置の自由度が増すため、冷蔵庫、冷凍庫、自動販売機など、真空断熱材を用いて断熱が必要な筐体に利用可能である。
【符号の説明】
【００３４】
１  真空断熱材
２  芯材
３  外被材
４  溝
４ａ  溝の交差部
【図１】
2014070851.tif 000003
【図３】
2014070851.tif 000004
【図２】
2014070851.tif 000005